(57)【要約】【課題】外部から不正に係止アームを取り外すことができないドアガード装置を提供すること。【解決手段】係止アーム２の基部に１対の揺動軸６を一体に設け、揺動軸６の端面と対向する１対の支持片７を台座１に立設するとともに、揺動軸６の外側の半周を覆う軸受部８を支持片７に設け、揺動軸６の内側の半周を覆う軸受座９を台座１に配設する。【選択図】図１
2006207262.tif 000002
【特許請求の範囲】
【請求項１】
ドア又はドアフレームの一方に係止アームを台座を介して揺動可能に取り付けるとともに、該係止アームのスライド溝に、ドア又はドアフレームのもう一方に固定した係止ピンをスライド可能に掛け止めるドアガード装置において、前記係止アームの基部に１対の揺動軸を一体に設け、該揺動軸の端面と対向する１対の支持片を前記台座に立設するとともに、揺動軸の外側の略半周を覆う軸受部を該支持片に設け、揺動軸の内側を支持する軸受座を台座に配設したことを特徴とするドアガード装置。
【請求項２】
軸受座を、揺動軸の内側の略半周を覆うことができるように形成したことを特徴とする請求項１記載のドアガード装置。
【請求項３】
軸受座を、ピン部材で構成したことを特徴とする請求項１記載のドアガード装置。
【請求項４】
前記軸受部及び軸受座の少なくとも一方と揺動軸とに、回動可能に嵌合する周方向の凹凸を設けたことを特徴とする請求項１、２又は３記載のドアガード装置。
【請求項５】
前記係止アームの基部に、基部同士を連結する連結片を設けたことを特徴とする請求項１、２、３又は４記載のドアガード装置。
【発明の詳細な説明】
【技術分野】
【０００１】
本発明は、玄関等のドアを半開きの状態でロックすることができるドアガード装置に関し、特に、外部から不正に係止アームを取り外すことができないドアガード装置に関するものである。
【背景技術】
【０００２】
従来、玄関ドア等の防犯用として、ドア本体に取り付けたシリンダー錠とは別に、防犯の用心鎖としてドアガード装置が設置されている。
このドアガード装置は、例えば、ドア先端部の内側に揺動可能に取り付けられた係止アームと、ドアフレーム側に固定され、係止アームのスライド溝に頭部を掛止して、スライド可能に掛け止められる係止ピンとを備えている。
そして、係止ピンを係止アームのスライド溝に挿入した状態でドアを開くと、ドアは係止ピンがスライド溝を移動する範囲内でしか開くことができず、半開きの状態でロックすることができる。
【０００３】
ところで、上記従来のドアガード装置では、係止アームの基部を台座の支持片の内側に配設した状態で、揺動軸を支持片側から挿入し、貫通した揺動軸先端の凹溝に止め輪を嵌め込むことにより、係止アームを台座に取り付けているが、止め輪が外部から見えるところにあることから、この止め輪を外すことによって係止アームが不正に取り外されるおそれがあった。
【発明の開示】
【発明が解決しようとする課題】
【０００４】
本発明は、上記従来のドアガード装置が有する問題点に鑑み、外部から不正に係止アームを取り外すことができないドアガード装置を提供することを目的とする。
【課題を解決するための手段】
【０００５】
上記目的を達成するため、本発明のドアガード装置は、ドア又はドアフレームの一方に係止アームを台座を介して揺動可能に取り付けるとともに、該係止アームのスライド溝に、ドア又はドアフレームのもう一方に固定した係止ピンをスライド可能に掛け止めるドアガード装置において、前記係止アームの基部に１対の揺動軸を一体に設け、該揺動軸の端面と対向する１対の支持片を前記台座に立設するとともに、揺動軸の外側の略半周を覆う軸受部を該支持片に設け、揺動軸の内側を支持する軸受座を台座に配設したことを特徴とする。
【０００６】
この場合において、軸受座を、揺動軸の内側の略半周を覆うことができるように形成することができる。
【０００７】
また、軸受座を、ピン部材で構成することができる。
【０００８】
また、前記軸受部及び軸受座の少なくとも一方と揺動軸とに、回動可能に嵌合する周方向の凹凸を設けることができる。
【０００９】
また、前記係止アームの基部に、基部同士を連結する連結片を設けることができる。
【発明の効果】
【００１０】
本発明のドアガード装置によれば、ドア又はドアフレームの一方に係止アームを台座を介して揺動可能に取り付けるとともに、該係止アームのスライド溝に、ドア又はドアフレームのもう一方に固定した係止ピンをスライド可能に掛け止めるドアガード装置において、前記係止アームの基部に１対の揺動軸を一体に設け、該揺動軸の端面と対向する１対の支持片を前記台座に立設するとともに、揺動軸の外側の略半周を覆う軸受部を該支持片に設け、揺動軸の内側を支持する軸受座を台座に配設するようにしたことから、従来の止め輪を使用することなく係止アームを取り付けるとともに、係止アームと一体化した揺動軸を外部から見えない位置に保持することができ、これにより、外部からの不正な係止アームの取り外しを防止することができる。
【００１１】
また、軸受座を、揺動軸の内側の略半周を覆うことができるように形成することにより、揺動軸の略全周を軸受部及び軸受座により覆って、揺動軸を安定して保持することができる。
【００１２】
また、軸受座を、ピン部材で構成することにより、揺動軸を簡易に保持することができる。
【００１３】
また、前記軸受部及び軸受座の少なくとも一方と揺動軸とに、回動可能に嵌合する周方向の凹凸を設けることにより、揺動軸の抜けを防止し、係止アームの変形による不正な取り外しを防止することができる。
【００１４】
また、前記係止アームの基部に、基部同士を連結する連結片を設けることにより、係止アームの変形による不正な取り外しを防止することができる。
ができる。
【発明を実施するための最良の形態】
【００１５】
以下、本発明のドアガード装置の実施の形態を図面に基づいて説明する。
【実施例１】
【００１６】
図１〜図３に、本発明のドアガード装置の第１実施例を示す。
このドアガード装置は、図８に示すように、ドアＤの先端部内側に、台座１を介して揺動可能に取り付けられた係止アーム２と、ドアフレームＦ側に固定され、係止アーム２のスライド溝３に大径の頭部４を掛止して、スライド可能に掛け止められる係止ピン５とを備えている。
そして、このドアガード装置は、前記係止アーム２の基部に１対の揺動軸６を一体に設け、該揺動軸６の端面と対向する１対の支持片７を前記台座１に立設するとともに、揺動軸６の外側の略半周を覆う軸受部８を該支持片７に設け、揺動軸６の内側を支持する軸受座として、揺動軸６の内側の略半周を覆うことができるように形成した軸受座９を台座１に配設するようにしている。
【００１７】
台座１は、図３に示すように、プレート状の下部から前記支持片７を立設するとともに、該下部に貫通孔１０を設け、該貫通孔１０に軸受座９を嵌挿するようにしている。
支持片７は、本実施例では、係止アーム２を内側に挟むように立設されている。
【００１８】
係止アーム２は、図３に示すように、中央にスライド溝３を備えたＵ字状の金属杆からなり、その基部には外側に１対の揺動軸６が一体に突設されている。
また、係止アーム基部の縁部には、後述する軸受座９のラッチボール１１が係合する凹部１２が形成されており、係止アーム２は、該凹部１２がラッチボール１１に係合する位置で仮固定できるようになっている。
【００１９】
軸受座９は、図２に示すように、台座１に係止アーム２を挿入した状態で、台座１の貫通孔１０に下から挿入することにより、その上部が揺動軸６に嵌合するとともに、その下部が貫通孔１０に嵌合する。
そして、図２（ｃ）に示すように、台座１をドアＤに固定することにより、軸受座９は台座１に取り外しができない状態で固定される。
また、軸受座９には、ばね１３に弾支されたラッチボール１１が付設されており、該ラッチボール１１は、係止アーム基部の縁部に摺接して、該縁部に形成された凹部１２に係合することにより、係止アーム２をその位置で仮固定できるようになっている。
なお、本実施例においては、軸受座９は、１対の支持片７にそれぞれ配設する別部材で構成するようにしたが、これに限定されず、１対の支持片７に配設する軸受座９を連結部を介して一体化した部材で構成することもできる。
【実施例２】
【００２０】
図４に、本発明のドアガード装置の第２実施例を示す。
このドアガード装置は、前記第１実施例の構成に加え、周方向の凸条１４を軸受部８と軸受座９に形成するとともに、周方向の凹溝１５を揺動軸６に形成し、これら凸条１４と凹溝１５を回動可能に嵌合させている。
これにより、ハンマー等で叩くなど、係止アーム２の内方向に外力が加えられた場合でも、これら凸条１４と凹溝１５の嵌合により揺動軸６の抜けを防止し、係止アーム２の変形による不正な取り外しを防止するようにしている。
なお、本実施例のその他の構成及び作用は、第１実施例と同一である。
【実施例３】
【００２１】
図５に、本発明のドアガード装置の第３実施例を示す。
このドアガード装置は、揺動軸６を支持片７の外側から挿入するように、係止アーム２と台座１を構成したもので、このときは、バール等でこじ開けるなど、係止アーム２の外方向に外力が加えられた場合でも、これら凸条１４と凹溝１５の嵌合により揺動軸６の抜けを防止し、係止アーム２の変形による不正な取り外しを防止するようにしている。
なお、本実施例のその他の構成及び作用は、第１実施例と同一である。
【実施例４】
【００２２】
図６に、本発明のドアガード装置の第４実施例を示す。
このドアガード装置は、前記第１実施例の構成に加え、係止アーム２の基部に、基部同士を連結する連結片１６を設けるようにしている。
この場合、連結片１６は、係止アーム２と一体成形することも、別部材を後付けすることもできる。
これにより、ハンマー等で叩くなど、係止アーム２の内方向に外力が加えられた場合でも、連結片１６により係止アーム２が変形することがなく、係止アーム２の変形による不正な取り外しを防止するようにしている。
【実施例５】
【００２３】
図７に、本発明のドアガード装置の第５実施例を示す。
このドアガード装置は、揺動軸６の内側を支持する軸受座を、ピン部材９Ａで構成したもので、このピン部材９Ａと、揺動軸６の外側の略半周を覆う軸受部８とにより、揺動軸６を保持することができるようにしている。
そして、このピン部材９Ａは、軸受部８に揺動軸６を装着することにより、軸受部８によって揺動軸６の外側の略半周を覆うようにした状態で、支持片７に形成したピン穴７１にピン部材９Ａを打ち込むようにする。
これにより、揺動軸６を簡易に保持することができ、製造コストを低廉にできるとともに、ピン部材９Ａが目立たず、デザイン的にも優れている。
なお、本実施例のその他の構成及び作用は、第１実施例と同一である。
【００２４】
かくして、本実施例のドアガード装置は、ドア又はドアフレームの一方に係止アーム２を台座１を介して揺動可能に取り付けるとともに、該係止アーム２のスライド溝３に、ドア又はドアフレームのもう一方に固定した係止ピンをスライド可能に掛け止めるドアガード装置において、前記係止アーム２の基部に１対の揺動軸６を一体に設け、該揺動軸６の端面と対向する１対の支持片７を前記台座１に立設するとともに、揺動軸６の外側の略半周を覆う軸受部８を該支持片７に設け、揺動軸６の内側を支持する軸受座９、９Ａを台座１に配設するようにしたことから、従来の止め輪を使用することなく係止アーム２を取り付けるとともに、係止アーム２と一体化した揺動軸６を外部から見えない位置に保持することができ、これにより、外部からの不正な係止アーム２の取り外しを防止することができる。
【００２５】
また、軸受座に、揺動軸６の内側の略半周を覆うことができるように形成した軸受座９を用いることにより、揺動軸６の略全周を軸受部８及び軸受座９により覆って、揺動軸６を安定して保持することができる。
【００２６】
また、軸受座を、ピン部材９Ａで構成することにより、揺動軸６を簡易に保持することができる。
【００２７】
また、前記軸受部８及び軸受座９の少なくとも一方と揺動軸６とに、回動可能に嵌合する周方向の凹凸を設けることにより、揺動軸６の抜けを防止し、係止アーム２の変形による不正な取り外しを防止することができる。
【００２８】
また、前記係止アーム２の基部に、基部同士を連結する連結片１６を設けることにより、係止アーム２の変形による不正な取り外しを防止することができる。
ができる。
【００２９】
以上、本発明のドアガード装置について、複数の実施例に基づいて説明したが、本発明は上記実施例に記載した構成に限定されるものではなく、各実施例に記載した構成を適宜組み合わせるなど、その趣旨を逸脱しない範囲において適宜その構成を変更することができる。
【産業上の利用可能性】
【００３０】
本発明のドアガード装置は、外部からの不正な係止アームの取り外しを防止するという特性を有していることから、安全で信頼性の高いドアガード装置として好適に用いることができる。
【図面の簡単な説明】
【００３１】
【図１】本発明のドアガード装置の第１実施例を示し、（ａ）は係止アームと台座の正面図、（ｂ）は同底面図、（ｃ）は同一部断面左側面図である。
【図２】同実施例の係止アームの組み立てを示し、（ａ）は第１工程図、（ｂ）は第２程図、（ｃ）は第３工程図である。  である。
【図３】（ａ）は係止アームの正面図、（ｂ）は同底面図、（ｃ）は台座の正面図、（ｄ）は同底面図、（ｅ）は軸受座の正面図、（ｆ）は同底面図である。
【図４】本発明のドアガード装置の第２実施例を示し、（ａ）は係止アームと台座の分解図、（ｂ）は同正面図、（ｃ）は係止アームに外力が加えられたときの想像図である。
【図５】本発明のドアガード装置の第３実施例を示し、（ａ）は係止アームと台座の分解図、（ｂ）は同正面図、（ｃ）は係止アームに外力が加えられたときの想像図である。
【図６】本発明のドアガード装置の第４実施例の係止アームの正面図である。
【図７】本発明のドアガード装置の第５実施例を示し、（ａ）は係止アームの正面図、（ｂ）は同底面図、（ｃ）は同背面図である。
【図８】ドアガード装置の取付状態を示し、（ａ）は係止アームを示す正面図、（ｂ）は係止ピンを係止アームに掛止した状態を示す平面図、（ｃ）は係止ピンを係止アームに掛止した状態でドアを開いた平面図、（ｄ）はドアガード装置を解錠して係止ピンを係止アームから抜いた状態を示す平面図である。
【符号の説明】
【００３２】
１    台座
２    係止アーム
３    スライド溝
４    頭部
５    係止ピン
６    揺動軸
７    支持片
７１  ピン穴
８    軸受部
９    軸受座
９Ａ  軸受座（ピン部材）
１０  貫通孔
１１  ラッチボール
１２  凹部
１３  ばね
１４  凸条
１５  凹溝
１６  連結片
【図１】
2006207262.tif 000003
【図２】
2006207262.tif 000004
【図３】
2006207262.tif 000005
【図４】
2006207262.tif 000006
【図５】
2006207262.tif 000007
【図６】
2006207262.tif 000008
【図７】
2006207262.tif 000009
【図８】
2006207262.tif 000010